(57)【要約】【課題】資源使用の目標達成が難しいと予測される状況に陥った場合に、目標達成をサポートすることのできる情報処理装置及び情報処理システムを提供する。【解決手段】表示部１、アプリ（アプリケーション）管理部２、コピーアプリ部３、プリンタアプリ部４、ジョブ制御部５、印刷制御部６、読取制御部７、電力モード制御部８、電力メータ読取部９、トナーセンサ読取部１０、電力メータ部１１、トナー残量センサ部１２、設定変更部１３、タイマ部１４、予測部１５、使用監視部１６、ジョブモード部１７、設定値部１８、ログ（記録）部１９、プロファイル部２０を主な構成とする画像処理装置である。【選択図】図１
2007249563.tif 000002
【特許請求の範囲】
【請求項１】
資源の使用量を集計することのできる情報処理装置であって、
目標期間と使用量の目標値を記憶する記憶手段と、
現在の使用状況と目標期間の終了の時点での使用量を予測する使用量予測手段と、
前記使用量予測手段が目標達成困難と予測する状況において、資源を使用する操作を実行する際に、ジョブモードを変更するジョブモード変更手段と、を備えることを特徴とする情報処理装置。
【請求項２】
前記資源は、紙、トナー、感光体その他保守部品、電力であることを特徴とする請求項１記載の情報処理装置。
【請求項３】
前記紙は、普通紙、裏紙、再生紙であることを特徴とする請求項１又は２記載の情報処理装置。
【請求項４】
その他保守部品は、経年変化し、定期的に交換が必要なものであることを特徴とする請求項１から３のいずれか１項に記載の情報処理装置。
【請求項５】
前記目標期間と目標値を入力するための入力手段を備えることを特徴とする請求項１から４のいずれか１項に記載の情報処理装置。
【請求項６】
過去の履歴を保存する履歴記憶手段と、
履歴記憶手段に記憶した過去の履歴から、次の目標値を決定する目標値決定手段と、を備えることを特徴とする請求項１から５のいずれか１項に記載の情報処理装置。
【請求項７】
前記ジョブモード変更手段は、変更を段階的に行うことを特徴とする請求項１から６のいずれか１項に記載の情報処理装置。
【請求項８】
前記ジョブモードの変更プロファイルを記憶するプロファイル記憶手段を備え、
前記ジョブモード変更手段は、プロファイルを読み出して変更方法を決定することを特徴とする請求項１から７のいずれか１項に記載の情報処理装置。
【請求項９】
前記プロファイルは、目的に応じて入れ替え可能であることを特徴とする請求項１から８のいずれか１項に記載の情報処理装置。
【請求項１０】
前記目標期間終了時に、管理レポートを作成するレポート作成手段を備えることを特徴とする請求項１から９のいずれか１項に記載の情報処理装置。
【請求項１１】
前記レポート作成手段は、作成した管理レポートを送信することを特徴とする請求項１０記載の情報処理装置。
【請求項１２】
前記履歴記憶手段に記録された過去の履歴から使用量の経過グラフを作成し、前記管理レポートに添付するグラフ作成手段を備えることを特徴とする請求項１０又は１１記載の情報処理装置。
【請求項１３】
前記ジョブモード変更手段は、紙資源の節約設定、トナーの節約設定、省エネモード移行設定のいずれか１以上の設定に変更することを特徴とする請求項１から１２のいずれか１項に記載の情報処理装置。
【請求項１４】
前記紙資源の節約設定は、裏紙トレイを選択し両面設定の場合は両面設定を解除する設定、再生紙トレイを選択する設定、両面印刷を選択する設定、複数ページを１ページに集約する設定のいずれか１以上の設定を選択することを特徴とする請求項１３記載の情報処理装置。
【請求項１５】
前記トナーの節約設定は、印字を薄くする設定であることを特徴とする請求項１３又は１４記載の情報処理装置。
【請求項１６】
前記省エネモード移行設定は、移行時間を短縮することを特徴とする請求項１３から１５のいずれか１項記載の情報処理装置。
【請求項１７】
前記ジョブモード変更手段により行った変更内容を通知する変更内容通知手段を備えることを特徴とする請求項１から１６のいずれか１項に記載の情報処理装置。
【請求項１８】
前記通知は、メール通信であることを特徴とする請求項１７記載の情報処理装置。
【請求項１９】
表示手段を備え、
前記通知内容は、表示手段に表示することを特徴とする請求項１７記載の情報処理装置。
【請求項２０】
前記ジョブモード変更手段は、前記ジョブモード変更前に、設定変更許可を得た場合に設定を変更することを特徴とする請求項１から１９のいずれか１項に記載の情報処理装置。
【請求項２１】
前記予測手段により、目標値を達成できないと予測された場合は、強制的に印刷を中止する中止手段を備えることを特徴とする請求項１から２０のいずれか１項に記載の情報処理装置。
【請求項２２】
少なくとも１以上の情報処理装置と、資源の使用量を集計することのできる使用量管理サーバが接続された情報処理システムであって、
使用量管理サーバは、
目標期間と使用量の目標値を記憶する記憶手段と、
現在の使用状況と目標期間の終わりの時点での使用量を予測する使用量予測手段と、
前記使用量予測手段が目標達成困難と予測する状況において、資源を使用する操作を実行する際に、ジョブモードを変更するジョブモード変更手段と、
前記資源を使用する操作を実行する際に、出力先情報処理装置を変更する実行指示手段と、を備えることを特徴とする情報処理システム。
【発明の詳細な説明】
【技術分野】
【０００１】
本発明は、情報処理装置及び情報処理システムに関し、特に課金の目標値を設定する情報処理装置及び情報処理システムに関する。
【背景技術】
【０００２】
従来から、画像処理装置による印刷に対して課金がなされる技術が提案されている(例えば、特許文献１)。このような装置が置かれているオフィス等では、例えば月単位で課金額の目標を設定し、これを守るように使用の制限を行っていた。
【特許文献１】特開２００５−２１２３４９号公報
【発明の開示】
【発明が解決しようとする課題】
【０００３】
近年では、情報処理装置（画像処理装置を含む。以下画像処理装置と称す）による印刷に対する課金だけでなく、より細かい資源の使用に対する課金、機能の使用に対する課金等、様々な課金モデルが必要とされている。課金が従来通りでなかったとしても、紙や電気は使用した分だけ経費がかかるため、各資源の上限を決めて制限をかけられるのが望ましい。しかしながら、上記技術の課金方法では、紙以外の資源については考慮されていないという問題がある。
【０００４】
また、使用制限に達すると使用できなくなる装置では、上限に達しないようにするには個人あるいはITマネージャなどが常に使用状況を把握して、運用として使用を抑制していかなければならず、負担がかかるという問題が生じていた。
【０００５】
一方、京都議定書の発行により、あらゆる企業が温室効果ガスの排出を削減することが義務付けられる可能性がある。この場合、達成目標を決めてそれを達成できないと、新たな課税などの罰則が科せられるという問題も考え得る。
【０００６】
本発明はこのような状況に鑑みてなされたものであり、資源使用の目標達成が難しいと予測される状況に陥った場合に、目標達成をサポートすることのできる情報処理装置及び情報処理システムを提供することを目的としている。
【課題を解決するための手段】
【０００７】
請求項１記載の発明は、資源の使用量を集計することのできる情報処理装置であって、目標期間と使用量の目標値を記憶する記憶手段と、現在の使用状況と目標期間の終了の時点での使用量を予測する使用量予測手段と、前記使用量予測手段が目標達成困難と予測する状況において、資源を使用する操作を実行する際に、ジョブモードを変更するジョブモード変更手段と、を備えることを特徴とする情報処理装置である。
【０００８】
請求項２記載の発明は、請求項１記載の装置において、前記資源は、紙、トナー、感光体その他保守部品、電力であることを特徴とする。
【０００９】
請求項３記載の発明は、請求項１又は２記載の装置において、前記紙は、普通紙、裏紙、再生紙であることを特徴とする。
【００１０】
請求項４記載の発明は、請求項１から３のいずれか１項に記載の装置において、その他保守部品は、経年変化し、定期的に交換が必要なものであることを特徴とする。
【００１１】
請求項５記載の発明は、請求項１から４のいずれか１項に記載の装置において、前記目標期間と目標値を入力するための入力手段を備えることを特徴とする。
【００１２】
請求項６記載の発明は、請求項１から５のいずれか１項に記載の装置において、過去の履歴を保存する履歴記憶手段と、履歴記憶手段に記憶した過去の履歴から、次の目標値を決定する目標値決定手段と、を備えることを特徴とする。
【００１３】
請求項７記載の発明は、請求項１から６のいずれか１項に記載の装置において、前記ジョブモード変更手段は、変更を段階的に行うことを特徴とする。
【００１４】
請求項８記載の発明は、請求項１から７のいずれか１項に記載の装置において、前記ジョブモードの変更プロファイルを記憶するプロファイル記憶手段を備え、前記ジョブモード変更手段は、プロファイルを読み出して変更方法を決定することを特徴とする。
【００１５】
請求項９記載の発明は、請求項１から８のいずれか１項に記載の装置において、前記プロファイルは、目的に応じて入れ替え可能であることを特徴とする。
【００１６】
請求項１０記載の発明は、請求項１から９のいずれか１項に記載の装置において、前記目標期間終了時に、管理レポートを作成するレポート作成手段を備えることを特徴とする。
【００１７】
請求項１１記載の発明は、請求項１０記載の情報処理装置前記レポート作成手段は、作成した管理レポートを送信することを特徴とする。
【００１８】
請求項１２記載の発明は、請求項１０又は１１記載の情報処理装置前記履歴記憶手段に記録された過去の履歴から使用量の経過グラフを作成し、前記管理レポートに添付するグラフ作成手段を備えることを特徴とする。
【００１９】
請求項１３記載の発明は、請求項１から１２のいずれか１項に記載の装置において、前記ジョブモード変更手段は、紙資源の節約設定、トナーの節約設定、省エネモード移行設定のいずれか１以上の設定に変更することを特徴とする。
【００２０】
請求項１４記載の発明は、請求項１３記載の装置において、前記紙資源の節約設定は、裏紙トレイを選択し両面設定の場合は両面設定を解除する設定、再生紙トレイを選択する設定、両面印刷を選択する設定、複数ページを１ページに集約する設定のいずれか１以上の設定を選択することを特徴とする。
【００２１】
請求項１５記載の発明は、請求項１３又は１４記載の装置において、前記トナーの節約設定は、印字を薄くする設定であることを特徴とする。
【００２２】
請求項１６記載の発明は、請求項１３から１５のいずれか１項記載の装置において、前記省エネモード移行設定は、移行時間を短縮することを特徴とする。
【００２３】
請求項１７記載の発明は、請求項１から１６のいずれか１項に記載の装置において、前記ジョブモード変更手段により行った変更内容を通知する変更内容通知手段を備えることを特徴とする。
【００２４】
請求項１８記載の発明は、請求項１７記載の装置において、前記通知は、メール通信であることを特徴とする。
【００２５】
請求項１９記載の発明は、請求項１７記載の装置において、表示手段を備え、前記通知内容は、表示手段に表示することを特徴とする。
【００２６】
請求項２０記載の発明は、請求項１から１９のいずれか１項に記載の装置において、前記ジョブモード変更手段は、前記ジョブモード変更前に、設定変更許可を得た場合に設定を変更することを特徴とする。
【００２７】
請求項２１記載の発明は、請求項１から２０のいずれか１項に記載の装置において、前記予測手段により、目標値を達成できないと予測された場合は、強制的に印刷を中止する中止手段を備えることを特徴とする。
【００２８】
請求項２２記載の発明は、情報処理装置と、資源の使用量を集計することのできる使用量管理サーバが接続された情報処理システムであって、使用量管理サーバは、目標期間と使用量の目標値を記憶する記憶手段と、現在の使用状況と目標期間の終わりの時点での使用量を予測する使用量予測手段と、前記使用量予測手段が目標達成困難と予測する状況において、資源を使用する操作を実行する際に、ジョブモードを変更するジョブモード変更手段と、資源を使用する操作を実行する際に、出力先情報処理装置を変更する実行指示手段と、を備えることを特徴とする情報処理システムである。
【発明の効果】
【００２９】
本発明によれば、情報処理装置での資源使用の結果、目標達成が難しいと予測される状況に陥った場合に、目標達成をサポートすることのできる情報処理装置及び情報処理システムを提供することができる。
【発明を実施するための最良の形態】
【００３０】
以下に、本発明の実施形態に係る情報処理装置及び情報処理システムを、図面を用いて詳細に説明する。なお、以下に述べる実施の形態は、本発明の好適な実施の形態であるから、技術的に好ましい種種の限定が付されているが、本発明の範囲は、以下の説明において特に本発明を限定する旨の記載がない限り、これらの態様に限られるものではない。また、情報処理装置の一例として、画像処理装置を用いて説明する。
【００３１】
以下に、図１を用いて、本発明の実施形態に係る画像処理装置について説明する。図１は、本実施形態に係る画像処理装置の構成図である。本実施形態に係る画像処理装置は、表示部１、アプリ（アプリケーション）管理部２、コピーアプリ部３、プリンタアプリ部４、ジョブ制御部５、印刷制御部６、読取制御部７、電力モード制御部８、電力メータ読取部９、トナーセンサ読取部１０、電力メータ部１１、トナー残量センサ部１２、設定変更部１３、タイマ部１４、予測部１５、使用監視部１６、ジョブモード部１７、設定値部１８、ログ（記録）部１９、プロファイル部２０から構成される。なお、本実施形態では、使用資源として、紙（普通紙、裏紙、再生紙）、トナー、感光体その他の保守部品（経年変化し、定期的に交換が必要なもの）、電力を例として述べる。
【００３２】
表示部１は、ＧＵＩ（graphical user interface）の表示を行う。アプリ（アプリケーション）管理部２は、使用できるアプリの制限を行う。コピーアプリ部３は、コピー用のアプリである。プリンタアプリ部４は、プリンタ用のアプリである。ジョブ制御部５は、ジョブの制御、ジョブモードの登録、必要に応じて変更方法プロファイルに従ってジョブモードの変更を行う。印刷制御部６は、印刷の制御を行う。一枚印刷するごとに、ログ部１９に印刷枚数を書き込む。読取制御部７は、読取の制御を行う。一枚読取るごとにジョブモード部１７に原稿枚数を書き込む。電力モード制御部８は、電力の制御を行う。電力メータ読取部９は、電力メータ部１１から、電力消費量を計測する。トナーセンサ読取部１０は、トナー残量センサからトナー残量を計測する。電力メータ部１１は、消費電力を検出する物理メータである。トナー残量センサ部１２は、トナーの残量を検出する物理メータである。設定変更部１３は、変更方法プロファイルに従って設定値や、ジョブモードを変更する。タイマ部１４は、ある間隔でイベントを通知するタイマである。定期的に使用監視に対してイベント通知を行う。予測部１５は、ログ部１９、トナーセンサ読取部１０、電力メータ読取部９、ジョブモード部１７から各使用量データを収集し、プロファイル（ＣＯ2換算プロファイル・課金プロファイル）を用いてＣＯ2使用量（もしくは課金額等）を算出、目標使用量と比較する。また、目標期間終了時点までの使用量を予測し、目標使用量と比較する。使用監視部１６は、各資源の使用監視を行う。ログ部１９への書込み及びタイマ部１４からの通知がなされると予測に対して実行トリガを与える。ジョブモード部１７は、ジョブのパラメータである。印刷面、リピート数、原稿枚数等がる。設定値部１８は、あらかじめ設定されているパラメータである。目標値（ＣＯ2使用量、課金額等）、デフォルト制御パラメータ（省エネ以降時間、ジョブモード）、使用制限情報（使用不可アプリ、使用不可ジョブモード）等が考え得る。ログ（記録）部１９は、各要素の使用ログである。使用量（紙、ドラム・ＰＭ部品、通信、アプリ使用）、基準時の計測値（電力、トナー）等が考え得る。プロファイル部２０は、各使用量をＣＯ2使用量に換算するロジック（ＣＯ2換算プロファイル）、課金額に換算するロジック（課金プロファイル）、ジョブモード及び設定値の変更方法（設定変更プロファイル）を有する。プロファイルは、目的に応じて入れ替え可能とすることも考え得る。設定変更プロファイルは、例えば以下のようなものが考え得る。
・紙資源の節約：裏紙トレイを選択（両面設定は解除）、再生紙トレイを選択、両面印刷を選択    、集約（ｎ ｉｎ １）を選択等
・トナーの節約：印字を薄くする等
・節約（省エネ）モード移行設定の有効化、移行時間の短縮
【００３３】
本発明の実施形態に係る画像処理装置の動作処理について図２を用いて説明する。本実施形態は、印刷開始前の目標値超過判断である。ＬＳ印刷、プリンタ印刷時等、動作開始前に目標値を超えるかどうか判断できる場合に行われる。すなわち、ＬＳ印刷、プリンタ印刷時はページ数が明確であるため、ジョブ開始前に印刷数が確定する。したがって、ジョブ開始前に、目標値を超えないか判断し、モードを変更することが可能となる。図２は、本実施形態に係る動作処理のフローチャートである。
【００３４】
ジョブ制御部５は、現在設定されているジョブモード（印刷面、リピート数、原稿枚数等）を登録する（ステップＳ１）。次に、予測値が目標値を超えるか判断する（ステップＳ２）。判断方法は、例えば“現在までの使用量＋当該ジョブでの使用量”を目標値と比較し判断するという方法が考え得る。“当該ジョブでの使用量”は、“原稿枚数×リピート数（繰り返し印刷数）”で算出できる。例えば、原稿枚数が２０枚で、リピート数が１０の場合、当該ジョブでの使用量は２００枚となる。これを目標値（例えば５００枚）と比較する。
【００３５】
目標値を越える場合は（ステップＳ２／Ｙｅｓ）、予め設定されたアクションを起こす。目標超過時のアクションは、“強制変更”“変更問い合わせ”“中止（強制中止）”が考え得る。変更問い合わせの場合は、表示部１にジョブモード変更許諾の問い合わせ（ダイアログの表示等）を行う。例えば『課金超過が予測されますので両面印刷に変更してもよろしいですか？』等である。また、メールで管理者に通知し（設定変更許可を実行するためのＷＷＷページＵＲＬを併記）、管理者が変更を許可した場合に設定を変更することも考え得る。
【００３６】
変更不許可（ステップＳ４／Ｎｏ）又は、上記予め設定されたアクションが中止の場合は、ジョブ制御部５は、ジョブを中止する（ステップＳ８）。一方、変更許可（ステップＳ４／Ｙｅｓ）又は、予め設定されたアクションが強制変更の場合は、ジョブ制御部５はジョブモードを変更する（ステップＳ５）。変更方法は、プロファイル部２０内の変更方法プロファイルに従う。ジョブ制御部５は、印刷を開始する（ステップＳ６）。なお、変更を行った場合に、メールで管理者に「ユーザ（特定することも可）により変更が行われた」旨等を通知することも考え得る。
【００３７】
一方、上記ステップＳ２で目標値を超えないと判断された場合（ステップＳ２／Ｎｏ）は、そのまま印刷が開始される（ステップＳ６）。
【００３８】
印刷制御部６は、一枚印刷される毎にログ部１９にカウントアップログを書き込む（ステップＳ７）。例えば、用紙、ドラム・ＰＭ部品、通信、アプリ使用等の使用回数や、電力量、トナー量の基準時の計測値が考え得る。
【００３９】
上記のように、ジョブモードを変更した後は、資源使用量超過見込みのために設定が変更されている、あるいはあるモードが選択不可になっている旨等を表示部１に表示することも考え得る。これにより、その後画像処理装置を使用する者は、資源使用量状況がすぐに把握できる。
【００４０】
なお、設定値（目標期間や目標値等）を入力するための入力部を備えた画像処理装置も考え得る。次の目標値は、ログ部１９の過去の履歴から決定することも考え得る。
【００４１】
本発明の他の実施形態に係る画像処理装置の動作処理として、図３を用いて説明する。本実施形態は、印刷開始後の目標値超過判断である。コピー時等、原稿枚数が不明である場合は、動作開始前に目標値を超えるかどうか判断できないためである。すなわち、コピージョブの場合、原稿枚数が不明確であるため、印刷枚数が確定できない。したがって、ジョブ開始前は、リピート数のみからの予測となり、実際のジョブ実行で目標値を超えるかどうかは判断できない。リピート数のみからの予測とは、例えば、リピート数１０であれば印刷枚数は１０以上、ということである。本実施形態においては、ジョブ開始後、印刷枚数が確定した段階（図３では「全原稿読取終了時（ステップＳ１５）」）に、目標値超過の判断を行うことが可能となる。図３は、本実施形態に係る動作処理のフローチャートである。
【００４２】
ジョブ制御部５は、ジョブモードを登録する（ステップＳ１０）。リピート数だけの予測は、目標値を超えるか判断する（ステップＳ１１）。ここで、印刷枚数の判断方法は、例えば上記図２のステップＳ２で説明した“現在までの使用量＋当該ジョブでの使用量”を目標値と比較し、判断するという方法と同様であり、当該ジョブでの使用量とは“原稿枚数×リピート数”であるため、原稿枚数が不明の場合は印刷枚数が確定できない。そこで例えばリピート数が１０の場合は、“リピート数だけの予測”として、印刷枚数は「１０枚」と判断する。現在までの使用量が４５０枚で、目標値が５００枚の場合は、印刷枚数は「４６０枚」であるため、目標値を超過しない。目標値を超えていない場合（ステップＳ１１／Ｎｏ）は、読取りと印刷のジョブのみ開始する（ステップＳ１２）。
【００４３】
読取り制御部７は、ジョブモード部１７に、読取った原稿枚数を書き込む（ステップＳ１３）。印刷制御部６は、一枚印刷する度に、ログ部１９にカウントアップログを書き込む（ステップＳ１４）。全原稿の読取りが終了すると印刷枚数が確定される（ステップＳ１５）。例えば、全原稿が２０枚の場合、印刷枚数は２００枚と確定される。その上で、再度目標値と比較し、判断する（ステップＳ１６）。例えば、現在までの使用量が４５０枚で、印刷枚数が２００枚とすると、予測値（６５０枚）は、目標値（５００枚）を超える（ステップＳ１６／Ｙｅｓ）。
【００４４】
一方、上記ステップＳ１１で、リピート数の予測で目標値を超えた場合（ステップＳ１１／Ｙｅｓ）は、原稿数確定後の判断でも、目標値を超える（ステップＳ１６／Ｙｅｓ）こととなる。例えば、現在までの使用量が４７０でリピート数が５０の場合は、リピート数のみの予測が「５２０枚」となり、目標値が５００枚と設定されていた場合は、目標値を超過する。原稿枚数が、たとえ１枚と確定された場合でも、目標値を超えることとなる。
【００４５】
このように、予測が目標値を超える場合は（ステップＳ１６／Ｙｅｓ）、印刷ジョブは一時中断される（ステップＳ１７）。なお、印刷の一時中断は、全原稿枚数が確定終了（ステップＳ１５）した後でも良い。
【００４６】
予め設定された目標超過時のアクションを起こす。例えば、ジョブモードの強制変更、ジョブモード変更問い合わせ、印刷ジョブの中止（強制中止）、である。ステップＳ１９からステップＳ２２は、上記図２のステップＳ４からＳ６及びＳ８と同様である。
【００４７】
また、他の実施形態に係る動作処理として、印刷枚数が不明でも予測によりジョブモードを変更することが可能である。この場合の予測とは、例えば、各ユーザ毎に過去の印刷枚数のデータを蓄積しておき、印刷枚数の多いユーザと少ないユーザとを判別することも考え得る。また、ジョブモード毎の印刷枚数データを蓄積し（若しくは予め設定し）、モード毎に印刷枚数の多少を判断することも考え得る。
【００４８】
また、上記実施形態では、予測が目標値を超える場合には、中止する以外はモード変更を行わなければ印刷を開始できないが、警告音を出す等して、モード変更を行わず印刷を開始することも考え得る。これにより、その時々の状況に合わせて、目標値を超過しても希望するジョブモードで印刷したい場合に対処できる。
【００４９】
本発明の他の実施形態に係る画像処理装置の動作処理として、図４を用いて説明する。本実施形態は、印刷開始前の目標値超過判断である。すなわち、現在の使用量が目標値に近づいていた場合、最初に全ての原稿を読取り、当該ジョブでの印刷枚数を確定させ、ジョブ開始前に目標値を超えないか判断する。図４は、本実施形態に係る動作処理のフローチャートである。
【００５０】
ジョブ制御部５は、ジョブモードを登録する（ステップＳ２５）。目標値に近づいているか判断する（ステップＳ２６）。近づいている場合は（ステップＳ２６／Ｙｅｓ）、読取り制御のみ開始する（ステップＳ２７）。すなわち、プレスキャンを行う。読取り制御部７は、ジョブモード部１７に、読取った原稿枚数を書き込む（ステップＳ２８）。全原稿の読取りが終了すると印刷枚数が確定される（ステップＳ２９）。予測が目標値を超えているか判断する（ステップＳ３０）。
【００５１】
一方、目標値に近づいていない場合（ステップＳ２６／Ｎｏ）、予測が目標値を超えているか判断する（ステップＳ３０）。ステップＳ３０からＳ３５は、上記図２のステップＳ２からＳ６及びＳ８と同様である。
【００５２】
また、目標値が近づいていなくても、プレスキャン設定により、プレスキャンすることも考え得る。印刷途中でモード変更や、印刷中止となるのは望ましくないため、これによりなるべく開始前に目標値を超えることを通知することが出来る。
【００５３】
また、ジョブ開始前にユーザに原稿枚数を問い合わせることにより原稿枚数を確定することも考え得る。
【００５４】
上記各実施形態では、「予測方法」として“現在までの使用量＋当該ジョブでの使用量”を目標値と比較し判断する方法を述べた。その他の予測方法としては、例えば以下のようなものが考え得る
・目標の○％を超えていることで予測
・基準日から現在までのデータから線形的に予測（回帰直線を作成）
・過去の全データから予測（非線形、曲線）
・使い方（曲線の形）が一番似ている月（週、年）から予測
・使用組織の今後の予定（プレゼン数等）から予測
・使用組織の人数データから予測
・統計手法を用いて予測が棄却されない時のみ予測
・段階的に予測
【００５５】
上記各実施形態での変更方法プロファイルとは、例えば以下のようなものが考え得る。
・設定値（設定値部１８）の変更
・印刷モードの限定（よく使用するモードをなるべく使用できる限定等）
・アプリの限定
・警告を出す
・印刷の内容によってモードを変更
・時間の限定
・段階的な限定（警告→あるモードができない→あるモードしかできない）
このように、各方法についてどれだけ消費が抑えられるか（どのような効果があるか）わかる。
【００５６】
また、上記ＣＯ2換算プロファイル、課金プロファイルの例を以下に示す。
ＣＯ2使用量＝紙カウント（枚）×ａ＋トナー使用量（ｇ）×ｂ＋電力消費量（ｗ）×ｃ＋ドラム回転数（回転）×ｄ
なお、ａ、ｂ、ｃ、ｄは各ＣＯ2換算係数である。
課金額＝紙カウント（枚）×ｅ
なお、ｅは課金換算係数である。
【００５７】
本発明の他の実施形態に係る情報処理システムの動作処理を説明する。本実施形態に係るシステム構成を図５に示す。各画像処理装置２６は、使用量管理サーバ２６と接続している。図６は、各装置の構成である。使用量管理サーバ２６は、設定変更部１３、タイマ１４、予測部１５、使用監視部１６、ジョブモード１７、設定値部１８、ログ部１９、プロファイル部２０から構成される。画像処理装置２６は、表示部１、アプリ（アプリケーション）管理部２、コピーアプリ部３、プリンタアプリ部４、ジョブ制御部５、印刷制御部６、読取制御部７、電力モード制御部８、電力メータ読取部９、トナーセンサ読取部１０、電力メータ部１１、トナー残量センサ部１２から構成される。
【００５８】
図７は、本実施形態に係る情報処理システムの動作処理である。本実施形態は、ジョブ開始前に目標値を超えないか判断し、モードを変更（又は中止）する処理である。上記図２で説明した動作と同様であるが、画像処理装置２６での動作と、使用量管理サーバ２５での動作に分担される。
【００５９】
まず、画像処理装置において、ジョブ制御部５は、現在設定されているジョブモードを登録する（ステップＳ４０）。次に、使用量管理サーバにおいて、予測値が目標値を超えるか判断する（ステップＳ４１）。ステップＳ４１からステップＳ４２は、上記図２で説明したステップＳ２からＳ３と同様である。ジョブモード変更問い合わせ（ステップＳ４７）は、図では便宜上サーバ側に記載してあるが、実際には画像処理装置２６の表示部１に表示し、問い合わせを行っている。ステップＳ４３は、上記図２のステップＳ５と同様である。
【００６０】
画像処理装置２６内のジョブ制御部５は、ステップＳ４３で決定されたジョブモードに設定変更する（ステップＳ４４）。ステップＳ４５、Ｓ４６、４８は、図２ステップＳ６、７、８と同様である。なお、Ｓ４６において、ログを書き込む場所はサーバにある。
【００６１】
以下に、本発明の実施形態に係る情報処理システムの動作処理を説明する。本実施形態は、ジョブ開始前に目標値を超えていないか判断し、超えている場合でもジョブ実行先を変更することによりジョブを実行する処理である。図８は、本実施形態に係る動作処理を示すフローチャートである。ステップＳ５０からＳ５２は、上記図７のステップＳ４０からステップＳ４２と同様である。
【００６２】
本実施形態では、ジョブモードではなく、出力先の変更を行う（ステップＳ５３、Ｓ５４）。すなわち、資源使用量に余裕のある他の画像処理装置（例えば画像処理装置２６ｂ）を検索し、決定した他の画像処理装置２６ｂにジョブ実行指示を出す。画像処理装置２６ａには、画像処理装置２６ｂに変更した旨を通知する。出力先変更決定後（ステップＳ５３）は、ステップＳ５２で中止設定となっている場合と同様に、画像処理装置２６ａでのジョブは中止される（ステップＳ５７）。
【００６３】
上記実施形態により、各画像処理装置で目標値が設定され、ある画像処理装置で目標値が超過すると予測された場合に、目標値まで余裕のある他の画像処理装置で印刷処理を行えば、目標値をクリアすることが出来る。また、複数の画像処理装置全体で目標値があり、目標値を超過すると予測された場合に、他のスペックの低い画像処理装置で印刷処理を行うことが出来る。
【００６４】
本発明の他の実施形態に係る画像処理装置の動作処理を説明する。本実施形態は、使用監視部１６により資源使用量を監視する処理である。資源使用量監視処理は、ジョブ実行（印刷）による資源使用時や、一定時間毎に発生するタイマーイベント（タイマ１４）により実行される。
【００６５】
使用監視部（資源使用量監視部）１６は、イベント（ジョブ実行イベントや、一定時間毎のイベント）受信を待機する（ステップＳ６０）。使用監視部１６がイベントを受信すると（ステップＳ６１）、電力メータ読取部９、トナーセンサ読取部１０、ログ部１９から資源使用量を収集し（ステップＳ６２）、予測部１５は、目標期間終了時までの資源使用量の予測値を計算する（ステップＳ６３）。予測値が目標値を超える場合は（ステップＳ６４／Ｙｅｓ）、ジョブモードを変更する（ステップＳ６５）。
【００６６】
目標値は、機器の管理者があらかじめ入力するものである。資源ごとに目標値を入力してもよいし、資源使用の合計に対して、これを課金額やＣＯ2使用量に換算した場合の値として入力してもよい。換算に使用する計算式はプロファイルに記述可能としてもよい。
【００６７】
資源使用量の収集は、各資源使用の絶対値と、記憶しておいた目標期間開始時の値の差を計算することにより行う。目標期間開始時に使用量を0にリセットすることができるならば、絶対値をそのまま使用量として用いることができる。
【００６８】
予測値の計算には様々なアルゴリズムが適用可能であり、アルゴリズムはプロファイルで選択可能としてもよい。最も単純なアルゴリズムは、線形に増加すると仮定して予測値を計算するものである。
M = m * (t1 - t0) / (t - t0)
M     目標期間終了時の資源使用量予測値
m     目標期間開始から現在までの資源使用量
t0    目標期間開始日時
t1    目標期間終了日時
t     現在時刻
上記の例で、M及びmは、資源使用量を課金額やＣＯ2使用量に換算した値である。
【００６９】
この他、過去のデータに基づいて回帰直線を計算して予測する方法や、より高度な非線形の予測アルゴリズム(ニューラルネット、GAなど)を用いてもよい。また、スケジューラから組織のイベントデータを受信することによって、スポット的に使用量が増加することを見込んで予測を行ってもよい。
【００７０】
設定変更は、現在時刻(目標期間終了日時までの時間)と、目標値と予測値の差を入力として、以下のような設定の変更が考え得る。
・デフォルト印刷モードの変更：裏紙、再生紙、両面、集約、印字濃度
・特定印刷モード(普通紙、片面など)の選択を不可にする
・省エネモード移行設定の有効化、移行時間の短縮
【００７１】
設定変更の方法についても、様々な方法が適用可能であり、プロファイルで選択可能としてもよい。単純な方法としては、目標期間の2/3経過時点で予測値が目標値を超えた場合に、設定を1度だけ変更するという方法が考えられる。
【００７２】
一方、目標期間内に数回チェックポイントを設け、その時点での予測値が目標値を超える度合いによって判断してもよい。例えば、期間の1/3経過時点で目標値の150%を超えていた場合に設定変更し、2/3経過時点で目標の100%を超えていた場合に設定変更するといった方法である。また、この方法において、1度目の変更では緩い制限とし、2度目の変更では厳しい制限とするなど、2度の変更の度合い(制限の強弱)を変えてもよい。
【００７３】
設定を変更する際には、その設定が変更されたというマークと、変更前の設定値を記憶する。変更が複数回行われる場合でも、記憶する設定値は初期のものだけでよい。ここで記憶した設定値は、目標期間終了後に設定を復帰する際に使用する。
【００７４】
本発明の他の実施形態に係る画像処理装置の動作処理について図１０と図１１を用いて説明する。本実施形態は、設定された目標期間が終了すると、目標期間内の資源使用に関するレポート作成と、次の目標期間のための初期化処理を実行する処理である。
【００７５】
目標期間が終了すると、電力メータ読取部９、トナーセンサ読取部１０、ログ部１９から資源使用量を収集し（ステップＳ６６）、資源使用レポートを作成する。作成したレポートは、例えば、メールで管理者に送信される（ステップＳ６７）。電力メータ等のログをリセットする（ステップＳ６８）。目標値をクリアする等のため、設定変更を行っていた場合は、設定を初期化する（ステップＳ６９）。使用監視部１６は、次の目標期間と目標値を設定する（ステップＳ７０）。
【００７６】
ログのリセットでは、各センサやカウンターログの値を0に設定する。センサ値等においてはリセットが困難である場合は、期間開始時点での値を記憶しておく。資源使用量収集時にはここで記憶した値との差分を使用量とする。
【００７７】
次の目標値の設定においては、前回と同じ値を使用する。また、過去の履歴から現在設定されている目標値の達成が難しい(毎回達成できていない)と判断される場合、目標値を低く設定してもよいし、レポート内に設定値の変更を促すメッセージを含めてもよい。
【００７８】
目標期間終了時に、作成する管理レポートには、過去の履歴から作成した使用量の経過グラフを添付しても良い。例として、管理レポートを図１１に示す。
【００７９】
以上、本発明を好適な実施の形態に基づき具体的に説明したが、本発明は上記のものに限定されるものではなく、その要旨を逸脱しない範囲で種種変更可能であることは言うまでもない。
【図面の簡単な説明】
【００８０】
【図１】本発明の実施形態に係る画像処理装置の構成図である。
【図２】本発明の実施形態に係る動作処理のフローチャートである。
【図３】本発明の実施形態に係る動作処理のフローチャートである。
【図４】本発明の実施形態に係る動作処理のフローチャートである。
【図５】本発明の実施形態に係る情報処理システムの構成図である。
【図６】本発明の実施形態に係る各装置の構成図である。
【図７】本発明の実施形態に係る動作処理のフローチャートである。
【図８】本発明の実施形態に係る動作処理のフローチャートである。
【図９】本発明の実施形態に係る動作処理のフローチャートである。
【図１０】本発明の実施形態に係る動作処理のフローチャートである。
【図１１】本発明の実施形態に係る管理レポートの一例を示す図である。
【符号の説明】
【００８１】
１    表示部
２    アプリ（アプリケーション）管理部
３    コピーアプリ部
４    プリンタアプリ部
５    ジョブ制御部
６    印刷制御部
７    読取制御部
８    電力モード制御部
９    電力メータ読取部
１０    トナーセンサ読取部
１１    電力メータ部
１２    トナー残量センサ部
１３    設定変更部
１４    タイマ部
１５    予測部
１６    使用監視部
１７    ジョブモード部
１８    設定値部
１９    ログ（記録）部
２０    プロファイル部
【図１】
2007249563.tif 000003
【図２】
2007249563.tif 000004
【図３】
2007249563.tif 000005
【図４】
2007249563.tif 000006
【図５】
2007249563.tif 000007
【図６】
2007249563.tif 000008
【図７】
2007249563.tif 000009
【図８】
2007249563.tif 000010
【図９】
2007249563.tif 000011
【図１０】
2007249563.tif 000012
【図１１】
2007249563.tif 000013